(57)【要約】【課題】本発明は、小型の電子機器特に受発信音声・音楽録音再生機器に異なる多数の装飾体を交換自在に設け、人体の首にアクセサリーとして吊り下げて使用するようにしたものである。【解決手段】本発明は、機器本体の表面又は裏面の何れか一面或いは両面に、異なる多様な装飾体を取替え自在に装着するようにしたことを特徴としている。【選択図】図２
2010181847.tif 000002
【特許請求の範囲】
【請求項１】
機器本体の表面又は裏面の何れか一面或いは両面に、異なる装飾体を取替え自在に装着するようにした交換可能な装飾体を備えた受発信音声・音楽録音再生機器。
【請求項２】
前記機器本体は、電池等の電源を内蔵せる小型の受信・発信・録音装置からなり、表面にアクセサリーとなる模様、彫刻等が施された装飾体を着脱自在に係合結合してなる前記請求項１に記載の受発信音声・音楽録音再生機器。
【請求項３】
前記機器本体は、これから延びて電気的に繋がるイヤホーンなどの聴声装置を備えてなる前記請求項１に記載の受発信音声・音楽録音再生機器。
【請求項４】
前記機器本体は、受信装置及び又は再生装置を備えた事を特徴とせる前記請求項１に記載の受発信音声・音楽録音再生装置。
【請求項５】
前記機器本体には、紐、鎖等の首飾りのための吊り下げ環体を設けたことを特徴とせる前記請求項１に記載の受発信音声・音楽録音再生装置。
【発明の詳細な説明】
【技術分野】
【０００１】  本発明は、小型の音響機器特に人体の首から吊り下げて使用するようにした機器の表面或いは裏面に異なる装飾体を交換可能になるようにしたものであって、装飾体は多くの種類を有し好みのものを選択しアクセサリーとして使用するようにしたものである。
【背景技術】
【０００２】  従来、この種機器には機能を重視して作られたものが多く、機器表面或いは裏面には単なる蓋体を設けるのみで、殆どその蓋体にのみ装飾的な模様が施されるものが多く見られた。【０００３】  ケースの上面に装飾板を設け更にマスコットを取り付けた携帯電話は既に実用新案登録第３１１６０５６号が存在しており、装飾効果を期待するものは既に提唱されている
【発明の開示】
【発明が解決しようとする課題】
【０００４】  上記従来の機器では、対象が携帯電話で機器本体は大きくて人が首に吊り下げて使用するには不具合が生じ、人前にアクセサリーとして使用するには装飾効果が阻害される懸念が有る。【０００５】  更には、装飾体は多くの種類があってこれを選択して使用するような態様で無いので装飾機能が発揮されない。【０００６】  本発明は、このような課題を解決し、小型の音響機器等の表面或いは裏面に種類の異なる装飾体を使用者の好みに応じて随時選択して取り替えてアクセサリーとして使用するようにしたものである。
【課題を解決するための手段】
【０００７】  本発明は、機器本体の表面又は裏面の何れか一面或いは両面に、異なる多様な装飾体を取替え自在に装着するようにしたことを特徴とせる交換可能な装飾体を備えた受発信音声・音楽録音再生機器である。【０００８】  前記機器本体は、電池等の電源を内蔵せる小型の受信・発信・録音装置からなることを特徴とするものである。【０００９】  更に、前記機器本体は、これから延びて電気的に繋がれるイヤーホーンなどの聴声装置を備えたことを特徴とするものである。【００１０】  また、前記機器本体は、受信装置及び再生装置を備えた事を特徴とするものである。【００１１】  次には、前記機器本体には、紐、鎖等の首飾りのための吊り下げ環体を設けたことを特徴としたものである。
【発明の効果】
【００１２】  本発明によれば、小型の音響機器の表面又は裏面の一面或いは両面に異なる装飾体を使用者の好みに応じて交換して取り替えるようにして、アクセサリーの効果を付加し、音響機器に更なる効果を発揮することが出来る。【００１３】  機器本体に、電池等の電源を内蔵することによって受信、発信、録音装置として多用途に使用することが出来る。【００１４】  機器本体に、イヤーホーンなどの聴声装置を備えることにより、使用者の独占使用を可能にすることができる。【００１５】  機器本体に、受信装置、再生装置を備えることにより、受信再生の何れにも対応して使用できる。【００１６】  機器本体に、紐、鎖等の吊り下げ環体を設けて首飾りによる使用を行うことが出来る。
【発明を実施するための最良の形態】
【００１７】  本発明の受発信音声・音楽録音再生機器を、実施例に基づき図面を参照して説明を行う。図１、図２は、本発明の基本形態の分解斜面図を示しており、図３は同じくその組み立て状態を示す平面図である。【００１８】  本発明は、機器本体１と該本体に着脱自在に設けられる装飾体２とより構成される。
前記機器本体１は、人体の首から吊り下げて使用可能な小型軽量な箱型をしており、その内部に受発信音声・音楽録音再生機能を行う装置を内蔵しており、夫々各機能に応じた働きを行うようにしている。また、機器本体１の裏面には上下に延びた一対のガイド３，３と該ガイドの下部にストッパー４及び上辺に吊下げフック５を設けており、この吊下げフックには吊り下げ紐６を配置して使用時には適宜人体の首に吊り下げるようにしている。【００１９】  前記装飾体２は、樹脂、金属、陶磁器等からなり、前記機器本体１の表面に取り付けられて使用するものであって、前記機器本体の表面積に合うような大きさをしており、裏面には前記ガイド３，３に係合する係止片７，７があって、この係止片が前記ガイド３，３に沿って挿入され装飾体２が機器本体１と結合する。【００２０】  前記装飾体２は、その表面にアクセサリーとなる模様或いは彫刻等が施されて装飾部８を構成している。この装飾部８は、図柄、彫刻などペンダントの装飾機能を備えており、異なった多くの図柄、彫刻のものを多数取り揃えておくと使用者の要求に応じて選択して使用することが出来る。【００２１】  ９は機器本体１を音楽再生装置として利用されたときのイヤーホーンワイヤーで、その先端にはイヤーホーン１０を備えている。【００２２】  図４、図５は、角型をした機器を示した他の実施例を示したもので、図４は分解斜視図、図５は図４の組み立て状態を示す表面及び裏面の斜視図である。【００２３】  図４、図５において、機器本体１は両側面にその長さ方向に延びたガイド溝１１，１１と受け片１２を設け、装飾体２の端縁片１３，１３を前記ガイド溝１１，１１に沿って挿入して両者を結合し、受け片１２にて装飾体２を受け止める。装飾体２には一側面に螺子孔１４を設け、螺子１５及び螺子カバー１６により機器本体１に固定する。【００２４】  図２、図５に示した１７は機器本体の機能としての操作部、１８は機器の機能を表示する表示窓を示すもので、図３乃至図５には、図１，２に示した吊り下げフック５を設けている。【００２５】  図６は、別の実施例を示したものであって、機器本体１には、イヤーホーン線９とイヤーホーン１０、１０を備え、イヤーホーン線と吊り下げ紐６を共通に利用して鎖の中心にその長さ方向にイヤーホーン線を貫通して配設している。１９は紐９，９端部を結合自在にする引掛け具である。
【図面の簡単な説明】
【００２６】
【図１】    本発明の受発信音声・音楽録音再生機器の契合部を分解した分解斜面図
【図２】    図１の実施例による表面、裏面を示す斜面図
【図３】    図１結合状態を示す平面図
【図４】    本発明の他の実施例を示す分解斜面図
【図５】    同じく図４の結合状態を示す表面、裏面の斜面図
【図６】    本発明をアクセサリーとして用いた他の実施例を示す斜面図
【符号の説明】
【００２７】１    機器本体
２    装飾体
３    ガイド
４    ストッパー
５    吊り下げフック
６    吊り下げ紐
７    係止片
８    装飾部
９    イヤーホーンワイヤー
１０  イヤーホーン
１１  ガイド溝
１２  受け片
１３  端縁片
１４  螺子孔
１５  螺子
１６  螺子カバー
１７  操作部
１８  表示窓
１９  引掛け具
【図１】
2010181847.tif 000003
【図２】
2010181847.tif 000004
【図３】
2010181847.tif 000005
【図４】
2010181847.tif 000006
【図５】
2010181847.tif 000007
【図６】
2010181847.tif 000008